【手続補正書】
【提出日】平成22年4月8日(2010.4.8)
【手続補正１】
【補正対象書類名】特許請求の範囲
【補正対象項目名】全文
【補正方法】変更
【補正の内容】
【特許請求の範囲】
【請求項１】
複数のノズルより形成される少なくとも１つのノズル列を有すると共に、前記複数のノズルに連通するインク室内に貯えられるインクのノズル列温度検出がなされる少なくとも１つの記録ユニットと、貯えた前記インクの温度を検出するインクタンク温度検出と当該インクの温度調整とがなされるインクタンクとを有し、当該インクタンクから前記インク室までの間で前記インクを循環させるインク循環ユニットと、を備える画像記録装置において、
上位装置より通知されるジョブ情報を解析し、当該解析結果と、前記ノズル列温度検出情報と、前記インクタンク温度検出情報とに基づいて、前記インク循環ユニットに対する制御方法を判定するインク循環制御部を備えることを特徴とする画像記録装置。
【請求項２】
制御部をさらに備え、
前記制御部は、前記インク循環制御部による上記判定結果に基づいて、前記ノズル列を駆動制御するノズル列駆動部の制御により、当該ノズル列を微振動することによる前記複数のノズルに連通する前記インク室内に貯えられる前記インクの加温、又は前記インクタンク内に貯えられる当該インクに対する加温の少なくとも一方を行う、或いは前記インクタンクから前記複数のノズルに連通する前記インク室までの間で前記インクの循環を行うことを特徴とする請求項１に記載の画像記録装置。
【請求項３】
前記インクタンクに貯えられている前記インクのインク温度をＨ１とし、
前記複数のノズルに連通する前記インク室内に貯えられる前記インクのインク温度をＨ２とし、
前記上位装置より通知される前記ジョブ情報の記録データに基づく記録処理に適した前記インクのインク温度をＨ３とし、
前記複数のノズルに連通する前記インク室内に貯えられる総インク量をＤ１とし、
前記記録処理によって行われる前記複数のノズルから吐出される前記インクの総吐出回数から換算される前記ジョブの実行によって消費されるインク消費量をＤ２とすると、
前記制御部は、前記インク循環制御部による前記Ｄ１と前記Ｄ２との比較結果、前記インク温度Ｈ３と前記インク温度Ｈ１との比較結果、及び前記インク温度Ｈ３と前記インク温度Ｈ２との比較結果に基づいて、少なくとも前記ノズル列を駆動制御する前記ノズル列駆動部の制御による前記複数のノズルに連通する前記インク室内に貯えられる前記インクの加温を行う、
ことを特徴とする請求項２に記載の画像記録装置。
【請求項４】
前記制御部は、前記インク循環制御部による前記Ｄ１と前記Ｄ２との比較結果の判定がＤ１＞Ｄ２で、且つ前記Ｈ３と前記Ｈ２との比較結果の判定がＨ３＞Ｈ２の場合、前記ノズル列駆動部の制御による前記複数のノズルに連通する前記インク室内に貯えられる前記インクの加温のみ行い、前記Ｈ３と前記Ｈ２との比較結果の判定がＨ３≦Ｈ２となった場合、前記ノズル列駆動部の制御による前記複数のノズルに連通する前記インク室内に貯えられる前記インクの加温を中止してから前記記録処理を行うことを特徴とする請求項３に記載の画像記録装置。
【請求項５】
前記制御部は、前記インク循環制御部による前記Ｄ１と前記Ｄ２との比較結果の判定がＤ１＜Ｄ２で、且つ前記Ｈ３と前記Ｈ２との比較結果の判定がＨ３＞Ｈ２で、且つ前記複数のノズルに連通する前記インク室内に貯えられる前記インクによる前記記録処理中に、前記インクタンク内の当該インクの温度がＨ３≦Ｈ１になると判定した場合、前記ノズル列駆動部の制御による前記複数のノズルに連通する前記インク室内に貯えられる前記インクの加温と、前記インクタンク内の前記インクの加温とを同時期に開始し、前記Ｈ３と前記Ｈ２との比較結果の判定がＨ３≦Ｈ２となった場合、前記ノズル列駆動部の制御による前記複数のノズルに連通する前記インク室内に貯えられる前記インクの加温を中止してから前記記録処理を行い、その後前記Ｈ３と前記Ｈ１との比較結果の判定がＨ３≦Ｈ１となった場合、前記インクの循環を開始することを特徴とする請求項３に記載の画像記録装置。
【請求項６】
前記制御部は、前記インク循環制御部による前記Ｄ１と前記Ｄ２との比較結果の判定がＤ１＜Ｄ２で、且つ前記Ｈ３と前記Ｈ２との比較結果の判定がＨ３＞Ｈ２で、且つ前記複数のノズルに連通する前記インク室内に貯えられる前記インクによる前記記録処理中に、前記インクタンク内の当該インクの温度がＨ３≦Ｈ１にならないと判定した場合、前記ノズル列駆動部の制御による前記複数のノズルに連通する前記インク室内に貯えられる前記インクの加温と、前記インクタンク内の前記インクの加温と、前記インクの循環とを同時期に開始し、前記Ｈ３と前記Ｈ２との比較結果の判定がＨ３≦Ｈ２で、且つ前記Ｈ３と前記Ｈ１との比較結果の判定がＨ３≦Ｈ１となった場合、前記ノズル列駆動部の制御による前記複数のノズルに連通する前記インク室内に貯えられる前記インクの加温を中止してから前記記録処理を行うことを特徴とする請求項３に記載の画像記録装置。
【請求項７】
複数のノズルより形成される少なくとも１つのノズル列を有すると共に、前記複数のノズルに連通するインク室内に貯えられるインクのノズル列温度検出がなされる少なくとも１つの記録ユニットと、貯えた前記インクの温度を検出するインクタンク温度検出と当該インクの温度調整とがなされるインクタンクとを有し、当該インクタンクから前記インク室までの間で前記インクを循環させるインク循環ユニットと、を備える画像記録装置におけるインク循環制御方法であって、
上位装置より通知されるジョブ情報の解析を行い、
前記ジョブ情報の解析結果と、前記ノズル列温度検出の情報と、前記インクタンク温度検出の情報とに基づいて、前記インク循環ユニットの制御方法を判定し、
前記判定結果に基づいて、前記インク循環ユニットの制御を実行する、
ことを特徴とするインク循環制御方法。
【請求項８】
前記上位装置より通知されるジョブ情報の解析結果と、前記ノズル列温度検出の情報と、前記インクタンク温度検出の情報との判定結果に基づいて、前記ノズル列を駆動制御するノズル列駆動部の制御による前記複数のノズルに連通する前記インク室内に貯えられる前記インクの加温、又は前記温度調整としての前記インクタンク内に貯えられる当該インクに対する加温の少なくとも一方を行う、或いは前記インクタンクから前記複数のノズルに連通する前記インク室までの間で前記インクの循環を行うことを特徴とする請求項７に記載のインク循環制御方法。
【請求項９】
前記インクタンクに貯えられている前記インクのインク温度をＨ１とし、
前記複数のノズルに連通する前記インク室内に貯えられる前記インクのインク温度をＨ２とし、
前記上位装置より通知される前記ジョブ情報の記録データに基づく記録処理に適した前記インクのインク温度をＨ３とし、
前記複数のノズルに連通する前記インク室内に貯えられる総インク量をＤ１とし、
前記記録処理によって行われる前記複数のノズルから吐出される前記インクの総吐出回数から換算される前記ジョブの実行によって消費されるインク消費量をＤ２とすると、
前記Ｄ１と前記Ｄ２との比較結果、前記Ｈ３と前記Ｈ１との比較結果、及び前記Ｈ３と前記Ｈ２との比較結果に基づいて、少なくとも前記ノズル列を駆動制御するノズル列駆動部の制御による前記複数のノズルに連通する前記インク室内に貯えられる前記インクの加温を行う、
ことを特徴とする請求項８記載のインク循環制御方法。
【請求項１０】
前記Ｄ１と前記Ｄ２との比較結果の判定がＤ１＞Ｄ２で、且つ前記Ｈ３と前記Ｈ２との比較結果の判定がＨ３＞Ｈ２の場合、前記ノズル列駆動部の制御による前記複数のノズルに連通する前記インク室内に貯えられるインクの加温のみ行い、前記Ｈ３と前記Ｈ２との比較結果の判定がＨ３≦Ｈ２となった場合、前記ノズル列駆動部の制御による前記複数のノズルに連通する前記インク室内に貯えられる前記インクの加温を中止してから前記記録処理を行うことを特徴とする請求項９に記載のインク循環制御方法。
【請求項１１】
前記Ｄ１と前記Ｄ２との比較結果の判定がＤ１＜Ｄ２で、且つ前記Ｈ３と前記Ｈ２との比較結果の判定がＨ３＞Ｈ２で、且つ前記複数のノズルに連通する前記インク室内に貯えられる前記インクによる前記記録処理中に、前記インクタンク内の当該インクの温度がＨ３≦Ｈ１になると判定した場合、前記ノズル列駆動部の制御による前記複数のノズルに連通する前記インク室内に貯えられる前記インクの加温と、前記インクタンク内の前記インクの加温とを同時期に開始し、前記Ｈ３と前記Ｈ２との比較結果の判定がＨ３≦Ｈ２となった場合、前記ノズル列駆動部の制御による前記複数のノズルに連通する前記インク室内に貯えられる前記インクの加温を中止してから前記記録処理を行い、その後前記Ｈ３と前記Ｈ１との比較結果の判定がＨ３≦Ｈ１となった場合、前記インクの循環を開始することを特徴とする請求項９に記載のインク循環制御方法。
【請求項１２】
前記Ｄ１と前記Ｄ２との比較結果の判定がＤ１＜Ｄ２で、且つ前記Ｈ３と前記Ｈ２との比較結果の判定がＨ３＞Ｈ２で、且つ前記複数のノズルに連通する前記インク室内に貯えられる前記インクによる前記記録処理中に、前記インクタンク内の当該インクの温度がＨ３≦Ｈ１にならないと判定した場合、前記ノズル列駆動部の制御による前記複数のノズルに連通する前記インク室内に貯えられる前記インクの加温と、前記インクタンク内の前記インクの加温と、前記インクの循環とを同時期に開始し、前記Ｈ３と前記Ｈ２との比較結果の判定がＨ３≦Ｈ２で、且つ前記Ｈ３と前記Ｈ１との比較結果の判定がＨ３≦Ｈ１となった場合、前記ノズル列駆動部の制御による前記複数のノズルに連通する前記インク室内に貯えられる前記インクの加温を中止してから前記記録処理を行うことを特徴とする請求項９に記載のインク循環制御方法。
【手続補正２】
【補正対象書類名】明細書
【補正対象項目名】発明の名称
【補正方法】変更
【補正の内容】
【発明の名称】画像記録装置、その装置におけるインク循環制御方法
【手続補正３】
【補正対象書類名】明細書
【補正対象項目名】０００７
【補正方法】変更
【補正の内容】
【０００７】
そこで本発明は、前述した課題に鑑みてなされたものであり、記録処理の開始までの時間短縮を可能とし、インク加温の電力消費量を必要最小限にすることが可能な画像記録装置、その装置におけるインク循環制御方法の提供を目的とする。
【手続補正４】
【補正対象書類名】明細書
【補正対象項目名】０００８
【補正方法】変更
【補正の内容】
【０００８】
前述した目的を達成するために、本発明の態様のひとつである画像記録装置は、複数のノズルより形成される少なくとも１つのノズル列を有すると共に、複数のノズルに連通するインク室内に貯えられるインクのノズル列温度検出がなされる少なくとも１つの記録ユニットと、貯えたインクの温度を検出するインクタンク温度検出と当該インクの温度調整とがなされるインクタンクとを有し、当該インクタンクからインク室までの間でインクを循環させるインク循環ユニットと、を備える画像記録装置において、上位装置より通知されるジョブ情報を解析し、当該解析結果と、ノズル列温度検出情報と、インクタンク温度検出情報とに基づいて、インク循環ユニットに対する制御方法を判定するインク循環制御部を備えることを特徴とする。
【手続補正５】
【補正対象書類名】明細書
【補正対象項目名】０００９
【補正方法】変更
【補正の内容】
【０００９】
また、本発明の態様のひとつであるインク循環制御方法は、複数のノズルより形成される少なくとも１つのノズル列を有すると共に、複数のノズルに連通するインク室内に貯えられるインクのノズル列温度検出がなされる少なくとも１つの記録ユニットと、貯えたインクの温度を検出するインクタンク温度検出と当該インクの温度調整とがなされるインクタンクとを有し、当該インクタンクからインク室までの間でインクを循環させるインク循環ユニットと、を備える画像記録装置におけるインク循環制御方法であって、上位装置より通知されるジョブ情報の解析を行い、ジョブ情報の解析結果と、ノズル列温度検出の情報と、インクタンク温度検出の情報とに基づいて、インク循環ユニットの制御方法を判定し、判定結果に基づいて、インク循環ユニットの制御を実行することを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本発明によれば、記録処理の開始までの時間短縮を可能とし、インク加温の電力消費量を必要最小限にすることが可能な画像記録装置、その装置におけるインク循環制御方法を提供できる。